(57)【特許請求の範囲】
【請求項１】
（ａ）帳票をセットするためのマットと、
（ｂ）該マットと対向させて配設され、帳票の画像を取得する画像取得部と、
（ｃ）前記マットに隣接させて配設され、帳票に対して認証印字を行う印字部と、
（ｄ）前記マット上にセットされた帳票を検出する検出手段と、
（ｅ）前記画像取得部によって帳票の画像が取得されてから、前記検出手段が継続して帳票を検出している場合に、帳票は抜き取られていないと判断し、前記検出手段が継続して帳票を検出していない場合に、帳票は抜き取られたと判断する抜取判断手段と、
（ｆ）帳票が抜き取られていないと判断された場合に、前記印字部による認証印字を行う印字手段とを有することを特徴とする認証印字機能を備えた画像読取装置。
【請求項２】
（ａ）帳票をセットするためのマットと、
（ｂ）該マットと対向させて配設され、帳票の画像を取得する画像取得部と、
（ｃ）前記マットに隣接させて配設され、帳票に対して認証印字を行う印字部と、
（ｄ）帳票に設定された特徴認識領域内の特徴を抽出する特徴抽出手段と、
（ｅ）帳票がセットされたときに前記画像取得部によって取得された帳票の画像に基づいて、前記特徴抽出手段によって抽出された第１の特徴と、認証印字を行う際に前記画像取得部によって取得された帳票の画像に基づいて、前記特徴抽出手段によって抽出された第２の特徴とを比較し、第１、第２の特徴が一致する場合に、帳票は抜き取られていないと判断し、第１、第２の特徴が一致しない場合に、帳票は抜き取られたと判断する抜取判断手段と、
（ｆ）帳票が抜き取られていないと判断された場合に、前記印字部による認証印字を行う印字手段とを有することを特徴とする認証印字機能を備えた画像読取装置。
【請求項３】
（ａ）帳票をセットするためのマットと、
（ｂ）該マットと対向させて配設され、帳票の画像を取得する画像取得部と、
（ｃ）前記マットに隣接させて配設され、帳票に対して認証印字を行う印字部と、
（ｄ）前記マット上にセットされた帳票及び他の書類を検出する複数の検出手段と、
（ｅ）前記画像取得部によって帳票及び他の書類の画像が取得されてから、すべての前記検出手段が継続して帳票及び他の書類を検出している場合に、帳票及び他の書類は抜き取られていないと判断し、前記各検出手段のいずれか一つが継続して帳票及び他の書類を検出していない場合に、帳票は抜き取られたと判断する抜取判断手段と、
（ｆ）帳票が抜き取られていないと判断された場合に、前記印字部による認証印字を行う印字手段とを有することを特徴とする認証印字機能を備えた画像読取装置。
【発明の詳細な説明】
【０００１】
【発明の属する技術分野】
本発明は、認証印字機能を備えた画像読取装置に関するものである。
【０００２】
【従来の技術】
従来、金融機関等における画像読取装置においては、印鑑登録票、振込依頼票等の帳票の画像を取得し、取得された画像のデータ、すなわち、画像データに基づいて画像の伝送、文字の認識等の各種の処理を行うようになっている。そして、非接触型のスキャナ装置を備えた画像読取装置の場合、例えば、机上にセットされた帳票の画像をスキャナ装置によって取得するようになっているので、帳票をスキャナ装置の挿入口に挿入する必要がなく、操作性が高い（特開平８−９１０２号公報参照）。
【０００３】
ところで、画像が取得されたことを認証するために、帳票に対して認証番号等の認証文字の印字、すなわち、認証印字を行おうとする場合、オペレータは、例えば、帳票をスキャナ装置から取り出した後、通帳伝票プリンタに挿入する。そして、通帳伝票プリンタにおいては、各帳票に対して通番による認証印字が行われる。
【０００４】
【発明が解決しようとする課題】
しかしながら、前記従来の画像読取装置においては、オペレータは、帳票をスキャナ装置から取り出した後、通帳伝票プリンタに挿入して認証印字を行わなければならないので、画像が取得されてから認証印字が行われるまでに帳票の取違いが発生することがある。
【０００５】
本発明は、前記従来の画像読取装置の問題点を解決して、帳票の取違いが発生するのを防止することができる認証印字機能を備えた画像読取装置を提供することを目的とする。
【０００６】
【課題を解決するための手段】
そのために、本発明の認証印字機能を備えた画像読取装置においては、帳票をセットするためのマットと、該マットと対向させて配設され、帳票の画像を取得する画像取得部と、前記マットに隣接させて配設され、帳票に対して認証印字を行う印字部と、前記マット上にセットされた帳票を検出する検出手段と、前記画像取得部によって帳票の画像が取得されてから、前記検出手段が継続して帳票を検出している場合に、帳票は抜き取られていないと判断し、前記検出手段が継続して帳票を検出していない場合に、帳票は抜き取られたと判断する抜取判断手段と、帳票が抜き取られていないと判断された場合に、前記印字部による認証印字を行う印字手段とを有する。
【０００７】
【発明の実施の形態】
以下、本発明の実施の形態について図面を参照しながら詳細に説明する。
【０００８】
図１は本発明の第１の実施の形態における認証印字機能を備えた画像読取装置の平面図、図２は本発明の第１の実施の形態における認証印字機能を備えた画像読取装置の斜視図である。
【０００９】
図において、２６は印鑑登録票、振込依頼票等の媒体としての帳票、２１は該帳票２６をセットするためのマット２５と対向させて配設され、帳票２６の画像、例えば、所定の読取範囲内の受取人欄、依頼人欄、認証印字欄等の画像を取得する画像取得部としてのスキャナ部、５１は該スキャナ部２１を支持するスキャナ台、２２はマット２５に隣接させて配設され、一端がスキャナ台５１に連結された印字部としてのプリンタ部である。なお、スキャナ部２１及びプリンタ部２２によって認証印字装置が構成される。前記スキャナ部２１は柱５２によって支持され、帳票２６とスキャナ部２１との間に所定の距離が置かれる。
【００１０】
前記プリンタ部２２は、画像が取得された後に、画像が取得されたことを認証するために、帳票２６に対して認証印字を行う。本実施の形態においては、帳票２６の所定の箇所に設定された認証印字欄に認証文字が通番で印字される。例えば、前記認証文字は、取引きが行われた年月日、支店番号、その日の取引きが開始されてからの一連の認証番号等から成り、該認証番号は、あらかじめ設定された所定の桁（けた）数の数字、英字等から成る。
【００１１】
また、前記マット２５は黒色の材料によって形成され、該マット２５上に帳票２６が載置される。そして、マット２５上に形成された突当ガイド２４に帳票２６を突き当てると、帳票２６は図示されない基準線に合わせて置かれることになる。なお、必要に応じてマット２５を交換することができる。
【００１２】
また、３５は印字ヘッド、３６は帳票２６を副走査方向に移動させて搬送するラインフィード用のモータであり、該モータ３６を駆動することによって発生させられた回転は、図示されない駆動アッセンブリを介してシャフト６１、６２に伝達される。該シャフト６１、６２に帳票２６を搬送するための搬送ローラ６４、６５が取り付けられる。したがって、前記モータ３６を駆動することによって帳票２６を搬送することができる。
【００１３】
そして、前記マット２５上におけるプリンタ部２２より手前に第１の検出手段としての媒体検出センサ３９が配設され、該媒体検出センサ３９はマット２５上にセットされた帳票２６を検出して検出信号を発生させる。前記媒体検出センサ３９として反射型のセンサを使用することができる。また、プリンタ部２２内のシャフト６１に隣接させて第２の検出手段としての媒体検出センサ３７が配設され、該媒体検出センサ３７は帳票２６の前端を検出して検出信号を発生させる。
【００１４】
次に、前記認証印字機能を備えた画像読取装置の制御装置について説明する。
【００１５】
図３は本発明の第１の実施の形態における認証印字機能を備えた画像読取装置の制御ブロック図である。
【００１６】
図において、２１はスキャナ部、２２はプリンタ部、３０は制御部、３４は上位装置である。前記制御部３０は、スキャナ部２１の制御を行うスキャナ制御部３１、プリンタ部２２の制御を行うプリンタ制御部３２、並びに前記スキャナ制御部３１及びプリンタ制御部３２の制御を行うメイン制御部３３を備える。該メイン制御部３３は、上位装置３４と接続され、該上位装置３４からの指示に従って画像の取得、認証印字等を行ったり、媒体検出センサ３９の検出信号に基づいて、マット２５（図１）上に帳票２６がセットされているかどうかを判断したりする。
【００１７】
また、プリンタ部２２は、印字ヘッド３５、ラインフィード用のモータ３６、媒体検出センサ３７、及びプリンタコントローラ４０を備え、該プリントコントローラ４０は印字ヘッド３５、モータ３６等の制御を行う。
【００１８】
次に、前記構成の認証印字機能を備えた画像読取装置の動作について説明する。
【００１９】
まず、オペレータが、帳票２６を、突当ガイド２４に突き当てることによって画像読取装置にセットし、マット２５上に載置するとともに、上位装置３４に接続された図示されないキーボードを操作すると、上位装置３４からメイン制御部３３に読取指示が送られる。該読取指示を受けると、前記メイン制御部３３は、媒体検出センサ３９の検出信号に従ってマット２５上に帳票２６がセットされているかどうかを判断し、マット２５上に帳票２６がセットされている場合、前記読取指示に従ってスキャナ制御部３１を介してスキャナ部２１を作動させ、該スキャナ部２１は、帳票２６上の画像を取得する。また、前記メイン制御部３３は、スキャナ部２１から画像データを読み込んで、上位装置３４に転送する。そして、該上位装置３４は、図示されない認識手段によって、前記画像データに従って前記読取範囲内の文字を認識して図示されない表示部に表示したり、画像の伝送を行ったりする。
【００２０】
続いて、オペレータは、表示部に表示された内容を確認し、認識された文字が正しいかどうかを判断し、認識された文字が正しい場合、前記キーボードの「確認」キーを押し、帳票２６をプリンタ部２２内に挿入する。そして、前記上位装置３４はメイン制御部３３に搬送指示を送る。
【００２１】
続いて、メイン制御部３３は、媒体検出センサ３７の検出信号を読み込み、該検出信号に従って、帳票２６の前端がプリンタ部２２内に挿入されたかどうかを判断し、帳票２６の前端がプリンタ部２２内に挿入された場合、図示されない搬送手段によってプリンタ制御部３２及びプリンタコントローラ４０を介してモータ３６を駆動し、搬送ローラ６４、６５を回転させて帳票２６を搬送し、印字ヘッド３５に送る。そして、メイン制御部３３は、図示されない印字手段によってプリンタ制御部３２及びプリンタコントローラ４０を介して印字ヘッド３５を駆動し、上位装置３４から送られた印字データに従って認証印字を行う。
【００２２】
また、認識された文字が正しくない場合、オペレータが、マット２５上に再び帳票２６をセットし、キーボードを操作すると、上位装置３４からメイン制御部３３に読取指示が送られる。
【００２３】
ところで、帳票２６の画像が取得されてから、媒体検出センサ３７の検出信号に従って帳票２６の前端がプリンタ部２２内に挿入されたと判断されるまでの間が要監視時間として設定され、前記メイン制御部３３の図示されない媒体監視手段によって前記要監視時間の間、媒体検出センサ３９の検出信号が監視され、メイン制御部３３の図示されない抜取判断手段によって帳票２６が抜き取られたかどうかが判断される。そして、帳票２６が抜き取られていない場合、メイン制御部３３は、認証印字を許可する。また、帳票２６が抜き取られた場合、メイン制御部３３は、認証印字を許可せず、前記表示部に認証印字を行わない旨を表示する。
【００２４】
そして、認証印字が終了すると、前記搬送手段はプリンタ制御部３２及びプリンタコントローラ４０を介してモータ３６を逆方向に駆動し、搬送ローラ６４、６５を逆方向に回転させ、帳票２６をマット２５上に排出する。
【００２５】
このように、前記要監視時間の間、媒体検出センサ３９の検出信号が監視され、帳票２６が抜き取られたかどうかが判断されるので、画像が取得された後、認証印字が行われるまでに帳票２６の取違いが発生するのを防止することができる。
【００２６】
次に、本発明の第２の実施の形態について説明する。なお、第１の実施の形態と同じ構造を有するものについては、同じ符号を付与することによってその説明を省略する。
【００２７】
図４は本発明の第２の実施の形態における認証印字機能を備えた画像読取装置の平面図、図５は本発明の第２の実施の形態における認証印字機能を備えた画像読取装置の制御ブロック図、図６は本発明の第２の実施の形態における帳票の概略図である。
【００２８】
この場合、マット２５上における印字部としてのプリンタ部２２より手前には媒体検出センサは配設されない。そして、前記帳票２６上の所定箇所、例えば、各コーナのうちあらかじめ選択されたコーナＰ１に近接する位置に特徴認識領域ＡＲが設定される。
【００２９】
前記構成の画像読取装置において、オペレータが、帳票２６を、突当ガイド２４に突き当てることによって画像読取装置にセットし、マット２５上に載置するとともに、上位装置３４に接続された図示されないキーボードを操作すると、上位装置３４からメイン制御部３３に読取指示が送られる。該読取指示を受けると、前記メイン制御部３３は、読取指示に従ってスキャナ制御部３１を介して画像取得部としてのスキャナ部２１を作動させ、該スキャナ部２１は、帳票２６上の所定の読取範囲内の受取人欄、依頼人欄、認証印字欄等の画像を取得する。前記メイン制御部３３は、スキャナ部２１から画像データを読み込んで、上位装置３４に転送する。そして、該上位装置３４は、記憶手段としての図示されないイメージメモリに前記画像データを取り込み、図示されない認識手段によって、前記画像データに従って前記読取範囲内の文字を認識して図示されない表示部に表示したり、画像の伝送を行ったりする。
【００３０】
また、前記上位装置３４内の図示されない特徴抽出手段は、前記イメージメモリ内の画像データに基づいて、前記特徴認識領域ＡＲ内の画像の特徴を抽出し、該特徴を図示されないバッファに格納する。なお、本実施の形態において、前記特徴として、取引きに当たって書き込まれた任意の文字、記号等が使用され、前記特徴認識領域ＡＲは、帳票２６上において文字、記号等が常に記入される部分に設定される。
【００３１】
続いて、オペレータは、表示部に表示された内容を確認し、認識された文字が正しいかどうかを判断し、認識された文字が正しい場合、前記キーボードの「確認」キーを押し、帳票２６をプリンタ部２２内に挿入する。そして、前記上位装置３４はメイン制御部３３に搬送指示を送る。
【００３２】
次に、メイン制御部３３は、媒体検出センサ３７の検出信号を読み込み、該検出信号に従って、帳票２６の前端がプリンタ部２２内に挿入されたかどうかを判断し、帳票２６の前端がプリンタ部２２内に挿入された場合、その旨を上位装置３４に通知する。
【００３３】
このとき、前記上位装置３４はメイン制御部３３に再び読取指示を送り、メイン制御部３３は、読取指示に従ってスキャナ制御部３１を介してスキャナ部２１を作動させ、該スキャナ部２１は、前端部分がプリンタ部２２内に挿入された状態の帳票２６上の画像を取得する。そして、前記メイン制御部３３は、スキャナ部２１によって発生させられた画像データを読み込んで、上位装置３４に転送し、該上位装置３４は、前記イメージメモリに画像データを取り込み、前記特徴抽出手段によって特徴認識領域ＡＲ内の画像の特徴を再び抽出する。
【００３４】
続いて、上位装置３４は、図示されない比較手段によって前記バッファに格納された特徴と再び抽出された特徴とを比較し、図示されない抜取判断手段によって、比較結果に基づいて帳票２６が抜き取られたかどうかを判断し、判断結果をメイン制御部３３に通知する。すなわち、前記バッファに格納された特徴と再び抽出された特徴とが一致する場合、帳票２６が抜き取られていないと判断される。
【００３５】
そして、帳票２６が抜き取られていない場合、前記メイン制御部３３は、認証印字を許可し、図示されない搬送手段によってプリンタ制御部３２及びプリンタコントローラ４０を介してモータ３６を駆動し、搬送ローラ６４、６５を回転させて帳票２６を搬送し、印字ヘッド３５に送る。続いて、メイン制御部３３は、図示されない印字手段によってプリンタ制御部３２及びプリンタコントローラ４０を介して印字ヘッド３５を駆動し、上位装置３４から送られた印字データに従って認証印字を行う。
【００３６】
また、帳票２６が抜き取られた場合、メイン制御部３３は、認証印字を許可せず、前記表示部に認証印字を行わない旨を表示する。この場合、前記搬送手段は、モータ３６を逆方向に駆動し、搬送ローラ６４、６５を逆方向に回転させ、帳票２６をマット２５上に排出する。
【００３７】
このように、画像が取得されたとき、及び認証印字が行われるときに、画像の特徴を抽出し、比較して、帳票２６が抜き取られたかどうかを判断するようになっているので、画像が取得されてから認証印字が行われるまでに帳票２６の取違いが発生するのを防止することができる。
【００３８】
また、認識された文字が正しくない場合、オペレータが、マット２５上に再び帳票２６をセットし、キーボードを操作すると、上位装置３４からメイン制御部３３に読取指示が送られる。そして、認証印字が終了すると、前記搬送手段は、モータ３６を逆方向に駆動し、搬送ローラ６４、６５を逆方向に回転させ、帳票２６をマット２５上に排出する。
【００３９】
ところで、一つの取引業務に対して、帳票２６の画像のほかに所定の書類の画像が取得されることがある。この場合、画像が取得されてから、認証印字が行われるまでに帳票２６又は書類が抜き取られると、帳票２６又は書類の取違いが発生する。そこで、帳票２６又は書類の取違いが発生することがないようにした本発明の第３の実施の形態について説明する。なお、第１の実施の形態と同じ構造を有するものについては、同じ符号を付与することによってその説明を省略する。
【００４０】
図７は本発明の第３の実施の形態における認証印字機能を備えた画像読取装置の平面図、図８は本発明の第３の実施の形態における認証印字機能を備えた画像読取装置の制御ブロック図である。
【００４１】
この場合、マット２５上における印字部としてのプリンタ部２２より手前に、帳票２６を検出するための第３の検出手段としての媒体検出センサ７８、及び他の書類７７を検出するための第４の検出手段としての媒体検出センサ７９が配設される。なお、前記他の書類７７が複数存在する場合には、その分だけ媒体検出センサが配設される。
【００４２】
前記構成の画像読取装置において、オペレータが、帳票２６及び他の書類７７を、突当ガイド２４に突き当てることによって画像読取装置にセットし、マット２５上に載置するとともに、上位装置３４に接続された図示されないキーボードを操作すると、上位装置３４からメイン制御部３３に読取指示が送られる。該読取指示を受けると、前記メイン制御部３３は、媒体検出センサ７８、７９の検出信号に従ってマット２５上に帳票２６及び他の書類７７がセットされているかどうかを判断し、マット２５上に帳票２６及び他の書類７７がセットされている場合、前記読取指示に従ってスキャナ制御部３１を介して画像取得部としてのスキャナ部２１を作動させ、該スキャナ部２１は、帳票２６上の所定の読取範囲内の受取人欄、依頼人欄、認証印字欄等の画像、及び他の書類７７上の画像を取得する。また、前記メイン制御部３３は、スキャナ部２１から画像データを読み込んで、上位装置３４に転送する。そして、該上位装置３４は、図示されない認識手段によって、前記画像データに従って前記読取範囲内にある帳票２６上の文字、及び他の書類７７上の文字を認識して、図示されない表示部に表示したり、画像の伝送を行ったりする。
【００４３】
続いて、オペレータは、表示部に表示された内容を確認し、認識された文字が正しいかどうかを判断し、認識された文字が正しい場合、前記キーボードの「確認」キーを押し、帳票２６をプリンタ部２２内に挿入する。そして、前記上位装置３４はメイン制御部３３に搬送指示を送る。
【００４４】
続いて、メイン制御部３３は、第２の検出手段としての媒体検出センサ３７の検出信号を読み込み、該検出信号に従って、帳票２６の前端がプリンタ部２２内に挿入されたかどうかを判断し、帳票２６の前端がプリンタ部２２内に挿入された場合、図示されない搬送手段によってプリンタ制御部３２及びプリンタコントローラ４０を介してモータ３６を駆動し、搬送ローラ６４、６５を回転させて帳票２６を搬送し、印字ヘッド３５に送る。そして、メイン制御部３３は、図示されない印字手段によってプリンタ制御部３２及びプリンタコントローラ４０を介して印字ヘッド３５を駆動し、上位装置３４から送られた印字データに従って認証印字を行う。
【００４５】
また、認識された文字が正しくない場合、オペレータが、マット２５上に再び帳票２６及び他の書類７７をセットし、キーボードを操作すると、上位装置３４からメイン制御部３３に読取指示が送られる。
【００４６】
ところで、帳票２６の画像が取得されてから、媒体検出センサ３７の検出信号に従って帳票２６の前端がプリンタ部２２内に挿入されたと判断されるまでの間が要監視時間として設定され、前記メイン制御部３３は、図示されない媒体監視手段によって前記要監視時間の間、媒体検出センサ７８、７９の検出信号を監視し、図示されない抜取判断手段によって帳票２６及び他の書類７７が抜き取られたかどうかを判断する。そして、帳票２６及び他の書類７７が抜き取られていない場合、メイン制御部３３は、認証印字を許可する。また、帳票２６及び他の書類７７のうちの少なくとも一方が抜き取られた場合、メイン制御部３３は、認証印字を許可せず、前記表示部に認証印字を行わない旨を表示する。
【００４７】
そして、認証印字が終了すると、前記搬送手段はプリンタ制御部３２及びプリンタコントローラ４０を介してモータ３６を逆方向に駆動し、搬送ローラ６４、６５を逆方向に回転させ、帳票２６をマット２５上に排出する。
【００４８】
このように、前記要監視時間の間、媒体検出センサ７８、７９の検出信号が監視され、帳票２６及び他の書類７７が抜き取られたかどうかが判断されるので、画像が取得されてから認証印字が行われるまでに帳票２６及び他の書類７７の取違いが発生するのを防止することができる。
【００４９】
また、前記スキャナ部２１には、例えば、ディジタルカメラ等を使用することもできる。その場合、帳票２６及び他の書類７７を走査することなく画像を取得することができるので、帳票２６及び他の書類７７のうちの少なくとも一方が抜き取られたかどうかを容易に判断することができる。
【００５０】
なお、本発明は前記実施の形態に限定されるものではなく、本発明の趣旨に基づいて種々変形させることが可能であり、それらを本発明の範囲から排除するものではない。
【００５１】
【発明の効果】
以上詳細に説明したように、本発明によれば、認証印字機能を備えた画像読取装置においては、帳票をセットするためのマットと、該マットと対向させて配設され、帳票の画像を取得する画像取得部と、前記マットに隣接させて配設され、帳票に対して認証印字を行う印字部と、前記マット上にセットされた帳票を検出する検出手段と、前記画像取得部によって帳票の画像が取得されてから、前記検出手段が継続して帳票を検出している場合に、帳票は抜き取られていないと判断し、前記検出手段が継続して帳票を検出していない場合に、帳票は抜き取られたと判断する抜取判断手段と、帳票が抜き取られていないと判断された場合に、前記印字部による認証印字を行う印字手段とを有する。
【００５２】
この場合、マットに帳票がセットされ、画像取得部によって帳票の画像が取得された後、画像が取得されたことを認証するために印字部によって認証印字が行われる。
【００５３】
そして、抜取判断手段は、画像が取得されてから認証印字が行われるまでに、帳票が抜き取られたかどうかを判断する。したがって、帳票の取違いが発生するのを防止することができる。
【図面の簡単な説明】
【図１】本発明の第１の実施の形態における認証印字機能を備えた画像読取装置の平面図である。
【図２】本発明の第１の実施の形態における認証印字機能を備えた画像読取装置の斜視図である。
【図３】本発明の第１の実施の形態における認証印字機能を備えた画像読取装置の制御ブロック図である。
【図４】本発明の第２の実施の形態における認証印字機能を備えた画像読取装置の平面図である。
【図５】本発明の第２の実施の形態における認証印字機能を備えた画像読取装置の制御ブロック図である。
【図６】本発明の第２の実施の形態における帳票の概略図である。
【図７】本発明の第３の実施の形態における認証印字機能を備えた画像読取装置の平面図である。
【図８】本発明の第３の実施の形態における認証印字機能を備えた画像読取装置の制御ブロック図である。
【符号の説明】
２１    スキャナ部
２２    プリンタ部
２５    マット
２６    帳票
３３    メイン制御部
３４    上位装置
３９、７８、７９    媒体検出センサ
７７    他の書類
【図１】
0004269417.tif 000002
【図２】
0004269417.tif 000003
【図３】
0004269417.tif 000004
【図４】
0004269417.tif 000005
【図５】
0004269417.tif 000006
【図６】
0004269417.tif 000007
【図７】
0004269417.tif 000008
【図８】
0004269417.tif 000009